(57)【要約】【課題】ストレージアクセスフローをラベルネットワーク内で分離転送可能なストレージアクセスフロー転送方法及びシステム装置の提供。【解決手段】サーキットネットワーク３上に、ストレージアクセスフローの送信元ストレージ識別子と送信先ストレージ識別子との組み合せ毎に、そのストレージアクセスフローに付与すべきＣＵＧ識別子を定義してなる識別子対応テーブル（６１）を蓄積する識別子対応データベース６を設け、第１及び第２のＣＵＧ識別子付与手段４１及び５１が、ストレージアクセスフローから送信元ストレージ識別子及び送信先ストレージ識別子を取得し、その送信元ストレージ識別子及び送信先ストレージ識別子をキーとして、識別子対応データベース６から対応するＣＵＧ識別子を知得し、そのＣＵＧ識別子をストレージアクセスフローに付与すべき所要のラベル識別子に設定する特徴。【選択図】図１
2004021818.tif 000002
【特許請求の範囲】
【請求項１】
複数のストレージネットワーク中における一のストレージネットワークから他のストレージネットワークに対するストレージアクセスフローを、ラベル識別子によるルーティングを行うラベルネットワークを経由して転送するためのストレージアクセスフロー転送方法であって、
前記ラベルネットワーク上の任意の領域に、前記ストレージアクセスフローの送信元ストレージ要素を示す送信元ストレージ識別子と、当該ストレージアクセスフローの送信先ストレージ要素を示す送信先ストレージ識別子との組み合せ毎に、そのストレージアクセスフローに付与すべき送信先ラベル識別子を定義してなる識別子対応テーブルを蓄積する識別子対応データベースを設け、
前記複数のストレージネットワークと前記ラベルネットワークとの各接続点にそれぞれ設けられた複数のネットワーク変換手段にそれぞれ具備される、前記ストレージネットワークから前記ラベルネットワークへ与えられる前記ストレージアクセスフローに前記ラベル識別子を付与するラベル識別子付与手段において、
前記ストレージアクセスフローの流入に伴って、当該ストレージアクセスフローから前記送信元ストレージ識別子及び前記送信先ストレージ識別子を取得し、
その取得した前記送信元ストレージ識別子及び前記送信先ストレージ識別子をキーとして、前記識別子対応データベースにおける前記識別子対応テーブルから対応する前記送信先ラベル識別子を知得し、
その知得した前記送信先ラベル識別子を、前記ストレージアクセスフローに付与すべき所要の前記ラベル識別子として設定し、
前記ラベルネットワーク上に設けられたラベル管理手段において、
前記ストレージアクセスフローに設定された前記送信先ラベル識別子に基づいて、当該ストレージアクセスフローを前記ストレージネットワークへ向け転送する、
ことを特徴とするストレージアクセスフロー転送方法。
【請求項２】
前記ラベル管理手段における前記ストレージアクセスフローの転送は、
前記送信先ラベル識別子により特徴付けられる各ストレージアクセスフロー毎の優先制御を伴う、
ことを特徴とする請求項１に記載のストレージアクセスフロー転送方法。
【請求項３】
前記ラベル管理手段における前記ストレージアクセスフローの転送は、
前記送信先ラベル識別子により特徴付けられる各ストレージアクセスフロー毎のアクセス制限を伴う、
ことを特徴とする請求項１又は２に記載のストレージアクセスフロー転送方法。
【請求項４】
前記ラベル管理手段における前記ストレージアクセスフローの転送は、
前記送信先ラベル識別子により特徴付けられる各ストレージアクセスフロー毎の流量制限を伴う、
ことを特徴とする請求項１、２又は３に記載のストレージアクセスフロー転送方法。
【請求項５】
前記ラベル管理手段における前記ストレージアクセスフローの転送は、
前記送信先ラベル識別子により特徴付けられる各ストレージアクセスフロー毎の流量測定を伴う、
ことを特徴とする請求項１、２、３又は４に記載のストレージアクセスフロー転送方法。
【請求項６】
複数のストレージネットワーク中における一のストレージネットワークから他のストレージネットワークに対するストレージアクセスフローを、ラベル識別子によるルーティングを行うラベルネットワークを経由して転送するためのストレージアクセスフロー転送システム装置であって、
前記複数のストレージネットワークと前記ラベルネットワークとの各接続点にそれぞれ設けられ、前記ストレージネットワークから前記ラベルネットワークへ与えられる前記ストレージアクセスフローに前記ラベル識別子を付与するラベル識別子付与手段をそれぞれ具備する複数のネットワーク変換手段と、
前記ラベルネットワーク上の任意の領域に設けられ、前記ストレージアクセスフローの送信元ストレージ要素を示す送信元ストレージ識別子と、当該ストレージアクセスフローの送信先ストレージ要素を示す送信先ストレージ識別子との組み合せ毎に、そのストレージアクセスフローに付与すべき送信先ラベル識別子を定義してなる識別子対応テーブルを蓄積する識別子対応データベースと、
前記ラベルネットワーク上に設けられ、前記複数のネットワーク変換手段における前記ラベル識別子付与手段により前記ストレージアクセスフローに付与される前記ラベル識別子に基づいて、当該ストレージアクセスフローを前記ストレージネットワークへ向け転送するラベル管理手段と、を有し、
前記ネットワーク変換手段における前記ラベル識別子付与手段は、
前記ストレージアクセスフローの流入に伴って、当該ストレージアクセスフローから前記送信元ストレージ識別子及び前記送信先ストレージ識別子を取得し、
その取得した前記送信元ストレージ識別子及び前記送信先ストレージ識別子をキーとして、前記識別子対応データベースにおける前記識別子対応テーブルから対応する前記送信先ラベル識別子を知得し、
その知得した前記送信先ラベル識別子を、前記ストレージアクセスフローに付与すべき所要の前記ラベル識別子として設定する、一連の機能手段を具備する、
ことを特徴とするストレージアクセスフロー転送システム装置。
【請求項７】
前記ラベル管理手段は、
前記ストレージアクセスフローの転送に際し、前記送信先ラベル識別子により特徴付けられる各ストレージアクセスフロー毎に優先制御を実行する機能手段を具備する、
ことを特徴とする請求項６に記載のストレージアクセスフロー転送システム装置。
【請求項８】
前記ラベル管理手段は、
前記ストレージアクセスフローの転送に際し、前記送信先ラベル識別子により特徴付けられる各ストレージアクセスフロー毎にアクセス制限を実行する機能手段を具備する、
ことを特徴とする請求項６又は７に記載のストレージアクセスフロー転送システム装置。
【請求項９】
前記ラベル管理手段は、
前記ストレージアクセスフローの転送に際し、前記送信先ラベル識別子により特徴付けられる各ストレージアクセスフロー毎に流量制限を実行する機能手段を具備する、
ことを特徴とする請求項６、７又は８に記載のストレージアクセスフロー転送システム装置。
【請求項１０】
前記ラベル管理手段は、
前記ストレージアクセスフローの転送に際し、前記送信先ラベル識別子により特徴付けられる各ストレージアクセスフロー毎に流量測定を実行する機能手段を具備する、
ことを特徴とする請求項６、７、８又は９に記載のストレージアクセスフロー転送システム装置。
【発明の詳細な説明】
【０００１】
【発明の属する技術分野】
本発明は、ストレージアクセスフロー転送方法及びシステム装置に関し、詳しくは、複数のストレージネットワーク中における一のストレージネットワークから他のストレージネットワークに対するストレージアクセスフローを、ラベル識別子によるルーティングを行うラベルネットワークを経由して転送するためのストレージアクセスフロー転送方法、及びその実施に直接使用するストレージアクセスフロー転送システム装置に係わる。
【０００２】
【従来の技術】
従来、複数の送信元ストレージ要素を収容する一のストレージネットワークから、複数の送信先ストレージ要素を収容する他のストレージネットワークに対するストレージアクセスフローを、ラベル識別子によるルーティングを行うラベルネットワークを経由して転送する場合、一般に、上記一のストレージネットワークに含まれる複数の送信元ストレージ要素が発した全てのストレージアクセスフローは、同じラベル識別子を付与された単一のフローに統合される（カプセル化される）ようになっていた。
【０００３】
【発明が解決しようとする課題】
このため、ラベルネットワークを構成するラベルルータやラベルスイッチなどの各種ネットワーク要素が本来的に具備する機能を用いて、例えば、ストレージアクセスフローに対する優先制御、アクセス制限、流量制限、或いは流量測定を行った場合、その各種制御（又は測定）の対象は、専ら上記同じラベル識別子を付与された単一のストレージアクセスフローに限られ、その単一のフローを構成する各ストレージアクセスフローに対しては、上記各種制御を個別に行うことができなかった。
【０００４】
これは即ち、上記単一のストレージアクセスフローは、ラベルネットワーク内においてはカプセル化された状態にあり、単にラベル識別子を指標としただけでは、その単一のストレージアクセスフローを個々のストレージアクセスフローに分離することができないためである。
【０００５】
ここにおいて、本発明の解決すべき主要な目的は、次のとおりである。
【０００６】
即ち、本発明の第１の目的は、一対のストレージネットワーク間のストレージアクセスフローをラベルネットワーク内において分離して転送することの可能なストレージアクセスフロー転送方法及びシステム装置を提供せんとするものである。
【０００７】
本発明の第２の目的は、分離された各ネットワークアクセスフローに対する各種制御をラベルネットワーク内において個別に行うことの可能なストレージアクセスフロー転送方法及びシステム装置を提供せんとするものである。
【０００８】
本発明の他の目的は、明細書、図面、特に特許請求の範囲の各請求項の記載から、自ずと明らかとなろう。
【０００９】
【課題を解決するための手段】
まず、本発明方法においては、ラベルネットワーク上の任意の領域に、ストレージアクセスフローの送信元ストレージ識別子と送信先ストレージ識別子との組み合せ毎に、そのストレージアクセスフローに付与すべき送信先ラベル識別子を定義し、複数のストレージネットワークとラベルネットワークとの各接続点にそれぞれ設けられたネットワーク変換手段におけるラベル識別子付与手段に、ストレージアクセスフローの流入に伴って、当該ストレージアクセスフローから送信元ストレージ識別子及び送信先ストレージ識別子を取得し、その送信元ストレージ識別子及び送信先ストレージ識別子をキーとして識別子対応テーブルから対応する送信先ラベル識別子を知得し、その送信先ラベル識別子をストレージアクセスフローに付与すべき所要のラベル識別子として設定し、ストレージアクセスフローに設定された送信先ラベル識別子に基づいて当該ストレージアクセスフローを転送する、という特徴的構成手法を講じる。
【００１０】
一方、本発明装置においては、ラベルネットワーク上の任意の領域に、ストレージアクセスフローの送信元ストレージ識別子と送信先ストレージ識別子との組み合せ毎に、そのストレージアクセスフローに付与すべき送信先ラベル識別子を定義してなる識別子対応テーブルを蓄積する識別子対応データベースを設け、複数のストレージネットワークとラベルネットワークとの各接続点にそれぞれ設けられたネットワーク変換手段におけるラベル識別子付与手段に、▲１▼ストレージアクセスフローの流入に伴って、当該ストレージアクセスフローから送信元ストレージ識別子及び送信先ストレージ識別子を取得し、▲２▼その送信元ストレージ識別子及び送信先ストレージ識別子をキーとして識別子対応データベースから対応する送信先ラベル識別子を知得し、▲３▼その送信先ラベル識別子をストレージアクセスフローに付与すべき所要のラベル識別子として設定する一連の機能手段を具備させる、という特徴的構成手段を講じる。
【００１１】
さらに、具体的詳細に述べると、当該課題の解決では、本発明が次に列挙する上位概念から下位概念に亙る新規な特徴的構成手法又は手段を採用することにより、前記目的を達成するよう為される。
【００１２】
即ち、本発明方法の第１の特徴は、複数のストレージネットワーク中における一のストレージネットワークから他のストレージネットワークに対するストレージアクセスフローを、ラベル識別子によるルーティングを行うラベルネットワークを経由して転送するためのストレージアクセスフロー転送方法であって、前記ラベルネットワーク上の任意の領域に、前記ストレージアクセスフローの送信元ストレージ要素を示す送信元ストレージ識別子と、当該ストレージアクセスフローの送信先ストレージ要素を示す送信先ストレージ識別子との組み合せ毎に、そのストレージアクセスフローに付与すべき送信先ラベル識別子を定義してなる識別子対応テーブルを蓄積する識別子対応データベースを設け、前記複数のストレージネットワークと前記ラベルネットワークとの各接続点にそれぞれ設けられた複数のネットワーク変換手段にそれぞれ具備される、前記ストレージネットワークから前記ラベルネットワークへ与えられる前記ストレージアクセスフローに前記ラベル識別子を付与するラベル識別子付与手段において、前記ストレージアクセスフローの流入に伴って、当該ストレージアクセスフローから前記送信元ストレージ識別子及び前記送信先ストレージ識別子を取得し、その取得した前記送信元ストレージ識別子及び前記送信先ストレージ識別子をキーとして、前記識別子対応データベースにおける前記識別子対応テーブルから対応する前記送信先ラベル識別子を知得し、その知得した前記送信先ラベル識別子を、前記ストレージアクセスフローに付与すべき所要の前記ラベル識別子として設定し、前記ラベルネットワーク上に設けられたラベル管理手段において、前記ストレージアクセスフローに設定された前記送信先ラベル識別子に基づいて、当該ストレージアクセスフローを前記ストレージネットワークへ向け転送してなる、ストレージアクセスフロー転送方法の構成採用にある。
【００１３】
本発明方法の第２の特徴は、上記本発明方法の第１の特徴における前記ラベル管理手段における前記ストレージアクセスフローの転送が、前記送信先ラベル識別子により特徴付けられる各ストレージアクセスフロー毎の優先制御を伴ってなる、ストレージアクセスフロー転送方法の構成採用にある。
【００１４】
本発明方法の第３の特徴は、上記本発明方法の第１又は第２の特徴における前記ラベル管理手段における前記ストレージアクセスフローの転送が、前記送信先ラベル識別子により特徴付けられる各ストレージアクセスフロー毎のアクセス制限を伴ってなる、ストレージアクセスフロー転送方法の構成採用にある。
【００１５】
本発明方法の第４の特徴は、上記本発明方法の第１、第２又は第３の特徴における前記ラベル管理手段における前記ストレージアクセスフローの転送が、前記送信先ラベル識別子により特徴付けられる各ストレージアクセスフロー毎の流量制限を伴ってなる、ストレージアクセスフロー転送方法の構成採用にある。
【００１６】
本発明方法の第５の特徴は、上記本発明方法の第１、第２、第３又は第４の特徴における前記ラベル管理手段における前記ストレージアクセスフローの転送が、前記送信先ラベル識別子により特徴付けられる各ストレージアクセスフロー毎の流量測定を伴ってなる、ストレージアクセスフロー転送方法の構成採用にある。
【００１７】
一方、本発明システム装置の第１の特徴は、複数のストレージネットワーク中における一のストレージネットワークから他のストレージネットワークに対するストレージアクセスフローを、ラベル識別子によるルーティングを行うラベルネットワークを経由して転送するためのストレージアクセスフロー転送システム装置であって、前記複数のストレージネットワークと前記ラベルネットワークとの各接続点にそれぞれ設けられ、前記ストレージネットワークから前記ラベルネットワークへ与えられる前記ストレージアクセスフローに前記ラベル識別子を付与するラベル識別子付与手段をそれぞれ具備する複数のネットワーク変換手段と、前記ラベルネットワーク上の任意の領域に設けられ、前記ストレージアクセスフローの送信元ストレージ要素を示す送信元ストレージ識別子と、当該ストレージアクセスフローの送信先ストレージ要素を示す送信先ストレージ識別子との組み合せ毎に、そのストレージアクセスフローに付与すべき送信先ラベル識別子を定義してなる識別子対応テーブルを蓄積する識別子対応データベースと、前記ラベルネットワーク上に設けられ、前記複数のネットワーク変換手段における前記ラベル識別子付与手段により前記ストレージアクセスフローに付与される前記ラベル識別子に基づいて、当該ストレージアクセスフローを前記ストレージネットワークへ向け転送するラベル管理手段とを有し、前記ネットワーク変換手段における前記ラベル識別子付与手段が、前記ストレージアクセスフローの流入に伴って、当該ストレージアクセスフローから前記送信元ストレージ識別子及び前記送信先ストレージ識別子を取得し、その取得した前記送信元ストレージ識別子及び前記送信先ストレージ識別子をキーとして、前記識別子対応データベースにおける前記識別子対応テーブルから対応する前記送信先ラベル識別子を知得し、その知得した前記送信先ラベル識別子を、前記ストレージアクセスフローに付与すべき所要の前記ラベル識別子として設定する一連の機能手段を具備してなる、ストレージアクセスフロー転送システム装置の構成採用にある。
【００１８】
本発明システム装置の第２の特徴は、上記本発明システム装置の第１の特徴における前記ラベル管理手段が、前記ストレージアクセスフローの転送に際し、前記送信先ラベル識別子により特徴付けられる各ストレージアクセスフロー毎に優先制御を実行する機能手段を具備してなる、ストレージアクセスフロー転送システム装置の構成採用にある。
【００１９】
本発明システム装置の第３の特徴は、上記本発明システム装置の第１又は第２の特徴における前記ラベル管理手段が、前記ストレージアクセスフローの転送に際し、前記送信先ラベル識別子により特徴付けられる各ストレージアクセスフロー毎にアクセス制限を実行する機能手段を具備してなる、ストレージアクセスフロー転送システム装置の構成採用にある。
【００２０】
本発明システム装置の第４の特徴は、上記本発明システム装置の第１、第２又は第３の特徴における前記ラベル管理手段が、前記ストレージアクセスフローの転送に際し、前記送信先ラベル識別子により特徴付けられる各ストレージアクセスフロー毎に流量制限を実行する機能手段を具備してなる、ストレージアクセスフロー転送システム装置の構成採用にある。
【００２１】
本発明システム装置の第５の特徴は、上記本発明システム装置の第１、第２、第３又は第４の特徴における前記ラベル管理手段が、前記ストレージアクセスフローの転送に際し、前記送信先ラベル識別子により特徴付けられる各ストレージアクセスフロー毎に流量測定を実行する機能手段を具備してなる、ストレージアクセスフロー転送システム装置の構成採用にある。
【００２２】
【発明の実施の形態】
以下、本発明の実施の形態につき、添付図面を参照しつつ、装置例及びこれに対応する方法例を順に挙げて説明する。
【００２３】
（装置例）
まず、図１は、本発明の一装置例に係るストレージアクセスフロー転送システム装置の構成を複数のストレージネットワークの構成と共に示す図であり、図２は、図１に示される識別子対応データベースに蓄積される識別子対応テーブルの一例を示す図である。
【００２４】
同図に示すように、まず、この装置例に係るストレージアクセスフロー転送システム装置αにおいては、複数のストレージネットワー中における一のストレージネットワークとしての第１のストレージネットワーク１から、他のストレージネットワークとしての第２のストレージネットワーク２に対するストレージアクセスフローを、ラベル識別子によるルーティングを行うラベルネットワークであるサーキットネットワーク３を経由して転送するものとする。
【００２５】
ここで、第１のストレージネットワーク１は、複数の送信元ストレージ要素として、パーソナルコンピュータやワークステーションなどからなる第１，第２，…，第ｎのコンピュータシステム１１，１２，…，１ｎを収容してなり、これら第１，第２，…，第ｎのコンピュータシステム１１，１２，…，１ｎには、それぞれ「ＷＷＮ−Ｃ１」，「ＷＷＮ−Ｃ２」，…，「ＷＷＮ−Ｃｎ」なる送信元ストレージ識別子が事前に与えられているものとする（ＷＷＮ：Ｗｏｒｌｄ　Ｗｉｄｅ　Ｎａｍｅ．ｎは有限の自然数。以下同じ）。
【００２６】
また、第２のストレージネットワーク２は、複数の送信先ストレージ要素として、テープライブラリ装置やディスクアレイ装置などからなる第１，第２，…，第ｎのストレージシステム２１，２２，…，２ｎを収容してなり、これら第１，第２，…，第ｎのストレージシステム２１，２２，…，２ｎには、それぞれ「ＷＷＮ−Ｓ１／ＬＵＮ１」，「ＷＷＮ−Ｓ２／ＬＵＮ２」，…，「ＷＷＮ−Ｓｎ／ＬＵＮｎ」なる送信先ストレージ識別子が事前に与えられているものとする（ＬＵＮ：Ｌｏｇｉｃａｌ　Ｕｎｉｔ　Ｎｕｍｂｅｒ）。
【００２７】
以上の前提構成において、第１及び第２のストレージネットワーク１及び２とサーキットネットワーク３との接続点には、それぞれ、第１及び第２のネットワーク変換装置４及び５（本発明にいう「複数のネットワーク変換手段」）が設けられる。
【００２８】
さらに、これら第１及び第２のネットワーク変換装置４及び５には、それぞれ、第１及び第２のストレージネットワーク１及び２からサーキットネットワーク３へ与えられるストレージアクセスフローにラベル識別子を付与する第１及び第２のＣＵＧ識別子付与部（それぞれ本発明にいう「ラベル識別子付与手段」。ＣＵＧ：Ｃｌｏｓｅｄ　Ｕｓｅｒｓ　Ｇｒｏｕｐ）４１及び５１が具備される。
【００２９】
なお、上記第１及び第２のＣＵＧ識別子付与部４１及び５１は、所要のラベル識別子をストレージアクセスフローのヘッダ情報として付与するものであり、そのヘッダ情報付与に際しての具体的な手法としては、例えば、代表的なＦＣラベル（ＦＣＩＰ：Ｆｉｂｅｒ　Ｃｈａｎｎｅｌ　ｏｖｅｒ　Ｉｎｔｅｒｎｅｔ　Ｐｒｏｔｏｃｏｌ）の他、ｉＦＣＰ（ｉｎｔｅｒｎｅｔ　Ｆｉｂｅｒ　Ｃｈａｎｎｅｌ　Ｐｒｏｔｏｃｏｌ）や、ｍＦＣＰ（ｍｅｔｒｏ　Ｆｉｂｅｒ　Ｃｈａｎｎｅｌ　Ｐｒｏｔｏｃｏｌ）などのプロトコルを適用することが可能である。
【００３０】
また、上記第１及び第２のネットワーク変換装置４及び５には、それぞれ、サーキットネットワーク３から第１及び第２のストレージネットワーク１及び２へ与えられるストレージアクセスフローからラベル識別子を除去する第１及び第２のＣＵＧ識別子除去部４２及び５２が具備される。
【００３１】
一方、サーキットネットワーク３上の任意の領域には、識別子対応データベース６が設けられ、当該識別子対応データベース６には、図２に示すように、ストレージアクセスフローの送信元ストレージ要素を示す上記送信元ストレージ識別子（「ＷＷＮ−Ｃ１」，「ＷＷＮ−Ｃ２」，…，「ＷＷＮ−Ｃｎ」）と、当該ストレージアクセスフローの送信先ストレージ要素を示す上記送信先ストレージ識別子（「ＷＷＮ−Ｓ１／ＬＵＮ１」，「ＷＷＮ−Ｓ２／ＬＵＮ２」，…，「ＷＷＮ−Ｓｎ／ＬＵＮｎ」）との組み合せ毎（図示のシリアル番号毎）に、そのストレージアクセスフローに付与すべきＣＵＧ識別子（本発明にいう「送信先ラベル識別子」）を定義してなる識別子対応テーブル６１が蓄積される。
【００３２】
なお、上記識別子対応テーブル６１に設定される送信元ストレージ識別子としては、それが第２のストレージネットワーク２におけるストレージシステム（２１，２２，…，２ｎ）を示すものである場合には、上記ＬＵＮ（１〜ｎ）に代えて、対応する第１のストレージネットワーク１におけるコンピュータシステム（１１，１２，…，１ｎ）に対するシーケンス番号を示す「Ｓｅｑ（１〜ｎ）」が割り当てられる。
【００３３】
また、ストレージアクセスフローに付与すべきＣＵＧ識別子としては、第１のストレージネットワーク１に対しては「Ａ（１〜ｎ）」が、第２のストレージネットワーク２に対しては「Ｂ（１〜ｎ）」が、それぞれ割り当てられるものとする。
【００３４】
他方、サーキットネットワーク３上には、第１及び第２のネットワーク変換装置４及び５における第１及び第２のＣＵＧ識別子付与部４１及び５１によりストレージアクセスフローに付与されるラベル識別子に基づいて、当該ストレージアクセスフローを第１及び第２のストレージネットワーク１及び２へ向け転送するサーキット管理装置（本発明にいう「ラベル管理手段」）７が設けられる。
【００３５】
以上の基本構成において、第１及び第２のネットワーク変換装置４及び５におけるＣＵＧ識別子付与部４１及び５１は、▲１▼ストレージアクセスフローの流入に伴って、当該ストレージアクセスフローから送信元ストレージ識別子及び送信先ストレージ識別子を取得し、▲２▼その取得した送信元ストレージ識別子及び送信先ストレージ識別子をキーとして、識別子対応データベース６における識別子対応テーブル６１から対応するＣＵＧ識別子を知得し、その知得したＣＵＧ識別子を、ストレージアクセスフローに付与すべき所要のラベル識別子として設定する一連の機能手段を具備する。
【００３６】
また、サーキット管理装置７は、ストレージアクセスフローの転送に際し、ＣＵＧ識別子により特徴付けられる各ストレージアクセスフロー毎に、その優先制御、アクセス制限、流量制限、及び流量測定を並列的又は選択的に実行する機能手段を具備し、当該機能手段は、ラベルルータやラベルスイッチ或いはラベルネットワーク管理ツールなどの実装機能により具現化される。
【００３７】
（方法例）
続いて、以上のように構成された装置例により実施されるストレージアクセスフロー転送方法の具体例を説明する。
【００３８】
まず、第１のストレージネットワーク１に収容された第１のコンピュータシステム１１（送信元ストレージ識別子：ＷＷＮ−Ｃ１）が、第２のストレージネットワーク２に収容された第２のストレージシステム２２（送信先ストレージ識別子：ＷＷＮ−Ｓ２／ＬＵＮ２）にアクセスを行い、同時に、第１のストレージネットワーク１に収容された第２のコンピュータシステム１２（送信元ストレージ識別子：ＷＷＮ−Ｃ２）が、第２のストレージネットワーク２に収容された第１のストレージシステム２１（送信先ストレージ識別子：ＷＷＮ−Ｓ１／ＬＵＮ１）にアクセスを行う場合を考える。
【００３９】
このとき、第１のネットワーク変換装置４における第１のＣＵＧ識別子付与部４１は、第１及び第２のコンピュータシステム１１及び１２からそれぞれ送信されたストレージアクセスフローの流入に伴って、当該ストレージアクセスフローから送信元ストレージ識別子及び送信先ストレージ識別子をそれぞれ取得し、さらに、その取得した送信元ストレージ識別子及び送信先ストレージ識別子をキーとして、識別子対応データベース６における識別子対応テーブル６１から対応するＣＵＧ識別子をそれぞれ知得する。
【００４０】
即ち、第１のＣＵＧ識別子付与部４１は、第１のコンピュータシステム１１から送信されたストレージアクセスフローより取得した送信元ストレージ識別子が「ＷＷＮ−Ｃ１」であり、送信先ストレージ識別子が「ＷＷＮ−Ｓ２／ＬＵＮ２」であることから、上記識別子対応テーブル６１を参照することにより、そのストレージアクセスフローに付与すべきＣＵＧ識別子が「Ｂ２（シリアル番号：１）」であることを知得する。
【００４１】
これと同時に、第１のＣＵＧ識別子付与部４１は、第２のコンピュータシステム１２から送信されたストレージアクセスフローより取得した送信元ストレージ識別子が「ＷＷＮ−Ｃ２」であり、送信先ストレージ識別子が「ＷＷＮ−Ｓ１／ＬＵＮ１」であることから、同識別子対応テーブル６１を参照することにより、そのストレージアクセスフローに付与すべきＣＵＧ識別子が「Ｂ１（シリアル番号：３）」であることを知得する。
【００４２】
そして、第１のＣＵＧ識別子付与部４１は、以上のようにして知得したＣＵＧ識別子「Ｂ２」及び「Ｂ１」を、それぞれ、第１及び第２のコンピュータシステム１１及び１２の各ストレージアクセスフローに付与すべき所要のラベル識別子として設定する。
【００４３】
この結果、第１及び第２のコンピュータシステム１１及び１２からの各ストレージアクセスフローには、それらの送信先となるストレージネットワーク（第２のストレージネットワーク２）が同じでありながら、それぞれ値の異なるＣＵＧ識別子が付与され、これにより、従来では不可能とされていた各ストレージネットワークの分離が可能となる。
【００４４】
そして、第１及び第２のコンピュータシステム１１及び１２からの各ストレージアクセスフローに関するルーティングが、これらに設定された各ＣＵＧ識別子「Ｂ２」及び「Ｂ１」に基づいて、サーキット管理装置７によりそれぞれ実行される。
【００４５】
そして以下、上記各ストレージアクセスフローは、対応する第２のネットワーク変換装置５における第２のＣＵＧ識別子除去部５２により各ＣＵＧ識別子「Ｂ２」及び「Ｂ１」をそれぞれ除去された後に、第２のストレージネットワーク２を介して、第２及び第１のストレージシステム２２及び２１にそれぞれ転送されるようになる。
【００４６】
このとき、サーキット管理装置７は、例えば外部からの設定などに応じ、ＣＵＧ識別子により特徴付けられる第１及び第２のコンピュータシステム１１及び１２からの各ストレージアクセスフロー毎に、所要の優先制御、アクセス制限、流量制限、及び流量測定を、並列的又は選択的に実行することができる。
【００４７】
次に、第２のストレージネットワーク２に収容された第１のストレージシステム２１（送信元ストレージ識別子：ＷＷＮ−Ｓ１／Ｓｅｑ１）が、第１のストレージネットワーク１に収容された第２のコンピュータシステム１２（送信先ストレージ識別子：ＷＷＮ−Ｃ２）にアクセスを行い、同時に、第２のストレージネットワーク２に収容された第２のストレージシステム２２（送信元ストレージ識別子：ＷＷＮ−Ｓ２／Ｓｅｑ２）が、第１のストレージネットワーク１に収容された第１のコンピュータシステム１１（送信先ストレージ識別子：ＷＷＮ−Ｃ１）にアクセスを行う場合を考える。
【００４８】
このときも、先の例の場合と同様に、第２のネットワーク変換装置５における第２のＣＵＧ識別子付与部５１が、第１及び第２のストレージシステム２１及び２２からそれぞれ送信されたストレージアクセスフローの流入に伴って、当該ストレージアクセスフローから送信元ストレージ識別子及び送信先ストレージ識別子をそれぞれ取得し、さらに、その取得した送信元ストレージ識別子及び送信先ストレージ識別子をキーとして、識別子対応データベース６における識別子対応テーブル６１から対応するＣＵＧ識別子をそれぞれ知得する。
【００４９】
即ち、第２のＣＵＧ識別子付与部５１は、第１のストレージシステム２１から送信されたストレージアクセスフローより取得した送信元ストレージ識別子が「ＷＷＮ−Ｓ１／Ｓｅｑ１」であり、送信先ストレージ識別子が「ＷＷＮ−Ｃ２」であることから、上記識別子対応テーブル６１を参照することにより、そのストレージアクセスフローに付与すべきＣＵＧ識別子が「Ａ２（シリアル番号：４）」であることを知得する。
【００５０】
それと同時に、第２のＣＵＧ識別子付与部５１は、第２のストレージシステム２２から送信されたストレージアクセスフローより取得した送信元ストレージ識別子が「ＷＷＮ−Ｓ２／Ｓｅｑ２」であり、送信先ストレージ識別子が「ＷＷＮ−Ｃ１」であることから、同識別子対応テーブル６１を参照することにより、そのストレージアクセスフローに付与すべきＣＵＧ識別子が「Ａ１（シリアル番号：２）」であることを知得する。
【００５１】
そして、第２のＣＵＧ識別子付与部５１は、以上のようにして知得したＣＵＧ識別子「Ａ２」及び「Ａ１」を、それぞれ、第１及び第２のストレージシステム２１及び２２の各ストレージアクセスフローに付与すべき所要のラベル識別子として設定する。
【００５２】
この結果、第１及び第２のストレージシステム２１及び２２からの各ストレージアクセスフローには、それらの送信先となるストレージネットワーク（第１のストレージネットワーク１）が同じでありながら、それぞれ値の異なるＣＵＧ識別子が付与され、これにより、従来では不可能とされていた各ストレージネットワークの分離が可能となる。
【００５３】
そして、第１及び第２のストレージシステム２１及び２２からの各ストレージアクセスフローに関するルーティングが、これらに設定された各ＣＵＧ識別子「Ａ２」及び「Ａ１」に基づいて、サーキット管理装置７によりそれぞれ実行される。
【００５４】
そして以下、上記各ストレージアクセスフローは、対応する第１のネットワーク変換装置４における第１のＣＵＧ識別子除去部４２により各ＣＵＧ識別子「Ａ２」及び「Ａ１」をそれぞれ除去された後に、第１のストレージネットワーク１を介して、第２及び第１のコンピュータシステム１２及び１１にそれぞれ転送されるようになる。
【００５５】
このとき、サーキット管理装置７は、例えば外部からの設定などに応じ、ＣＵＧ識別子により特徴付けられる第１及び第２のストレージシステム２１及び２２からの各ストレージアクセスフロー毎に、所要の優先制御、アクセス制限、流量制限、及び流量測定を、並列的又は選択的に実行することができる。
【００５６】
以上、本発明の実施の形態につき、その装置例及びこれに対応する方法例を挙げて説明したが、本発明は、必ずしも上述した手段及び手法にのみ限定されるものではなく、後述する効果を有する範囲内において、適宜、変更実施することが可能なものである。
【００５７】
【発明の効果】
以上、詳細に説明したように、本発明によれば、一対のストレージネットワーク間のストレージアクセスフローをラベルネットワーク内において分離して転送することが可能となり、これに伴って、その分離された各ネットワークアクセスフローに対する優先制御、アクセス制限、流量制限、或いは流量測定などの各種制御をラベルネットワーク内において個別に行うことが可能となる。
【図面の簡単な説明】
【図１】本発明の一装置例に係るストレージアクセスフロー転送システム装置の構成を複数のストレージネットワークの構成と共に示す図である。
【図２】図１に示した識別子対応データベースに蓄積される識別子対応テーブルの一例を示す図である。
【符号の説明】
α…ストレージアクセスフロー転送システム装置
１…第１のストレージネットワーク
１１〜１ｎ…第１〜第ｎのコンピュータシステム
２…第２のストレージネットワーク
２１〜２ｎ…第１〜第ｎのストレージシステム
３…サーキットネットワーク
４…第１のネットワーク変換装置
４１…第１のＣＵＧ識別子付与部
４２…第１のＣＵＧ識別子除去部
５…第２のネットワーク変換装置
５１…第２のＣＵＧ識別子付与部
５２…第２のＣＵＧ識別子除去部
６…識別子対応データベース
６１…識別子対応テーブル
７…サーキット管理装置
【図１】
2004021818.tif 000003
【図２】
2004021818.tif 000004